(57)【要約】      （修正有）【課題】熱変色性筆記具の消しゴムを熱変色性筆記具の本体から容易に分離できるように構成し、多様なキャラクター人形に形状化することによって、使用が便利であり、使用者の好奇心と興味を誘発し、使用上の楽しみを倍加させることができる熱変色性筆記具を提供する。【解決手段】第１消しゴム４０は連結部材７０によって回転部材６０に連結され、ペン本体２０の側壁一側に形成された溝２１には操作部材５０の連結部５２が配置され、操作部材５０の第１本体部５１はペン本体２０の内部に挿入され、操作部材５０のクリップ部５３はペン本体２０の外部に露出する。第１消しゴム４０は、一体形成された第１キャラクター形状部４１とキャラクター支持部４２で構成され、キャラクター支持部４２の内部には一定深さで閉鎖孔が形成され、キャラクター支持部４２は上部カバー３０を通過してペン本体２０内に挿入される。【選択図】図１
2020142500.tif 000002
【特許請求の範囲】
【請求項１】
上部及び下部が開放された中空の円筒状ペン本体２０と、
前記ペン本体２０の内部に挿入され、熱変色性インク組成物Ｉを内部に収容するペン芯８０と、
前記ペン芯８０を弾性的に支持するためのバネ８６と、
前記ペン本体２０の下部に螺合方式で締結される下部キャップ９０とを含む熱変色性筆記具において、
一部分が外部に露出するように前記ペン本体２０内に挿入される操作部材５０であって、円筒状の第１本体部５１、前記第１本体部５１の径方向における一方側から前記第１本体部５１に対して垂直に一定長さだけ延在する連結部５２、及び前記連結部５２の自由端部に一体に形成されたクリップ部５３を含む、操作部材５０と、
前記ペン本体２０の内部に回転可能に挿入される回転部材６０であって、円筒状の第２本体部６１及び前記第２本体部６１の下部において前記第２本体部６１の外径よりも大きな外径を有するように径方向外部に拡張された拡張部６２を含む、回転部材６０と、
前記ペン本体２０の上部外側に分離可能に結合される中空の上部カバー３０と、
前記熱変色性筆記具によって書かれた筆跡を摩擦し、この際に生じる摩擦熱でこの筆跡を熱変色させるための第１消しゴム４０と、
前記第１消しゴム４０と前記回転部材６０とを連結する連結部材７０と、
を含む熱変色性筆記具。
【請求項２】
前記ペン本体２０の側壁一側には溝２１が形成され、前記第１本体部５１は前記ペン本体２０の内部に挿入され、前記連結部５２は前記溝２１を通過するように配置され、前記クリップ部５３は前記ペン本体２０の外部に露出し、前記ペン本体２０の上部には第１突出部２２が形成され、前記第１突出部２２の外周面上には第１係止段２３が形成され、前記上部カバー３０の内周面上には第２係止段３３が径方向内側に突出して形成され、前記第２係止段３３が前記第１係止段２３を下方向に通過するように前記熱変色性筆記具の使用者が前記上部カバー３０を下方向に加圧することによって、前記上部カバー３０が前記第１突出部２２上に装着されることを特徴とする請求項１に記載の熱変色性筆記具。
【請求項３】
前記第１本体部５１の下端部には、螺子山形状の第１接触部５４が形成され、前記拡張部６２の外周面上には、多数の第２突出部６３が一定の間隔をおいて形成され、前記第２突出部６３の上端部は、前記第２本体部６１と前記拡張部６２との境を通過して前記第２本体部６１側に延び、前記第２突出部６３の上端部には第２接触部６４が形成され、前記第２接触部６４は、前記第１接触部５４の形状に対応して鋭角で傾斜するように形成され、前記回転部材６０において前記拡張部６２を除いた前記第２本体部６１が前記第１本体部５１内に挿入され得ることを特徴とする請求項１に記載の熱変色性筆記具。
【請求項４】
前記第１消しゴム４０は、一体形成された第１キャラクター形状部４１とキャラクター支持部４２で構成され、前記キャラクター支持部４２の内部には、一定深さで閉鎖孔が形成され、前記キャラクター支持部４２は、前記上部カバー３０を通過して前記ペン本体２０内に挿入され、前記ペン本体２０内に挿入された前記操作部材５０の前記第１本体部５１の上部内側に挿入されることを特徴とする請求項１に記載の熱変色性筆記具。
【請求項５】
前記連結部材７０は、全体としてピン形状をなす第３本体部７１及び前記第３本体部７１の中間位置で径方向外部に突出した係止部７２を備え、前記回転部材６０の前記第２本体部６１が前記操作部材５０の前記第１本体部５１内に挿入して配置された状態で、前記第２本体部６１内に前記連結部材７０が挿入して配置され、前記第３本体部７１のうち前記係止部７２を境にしてその上側部位は、前記キャラクター支持部４２内に挿入されることを特徴とする請求項４に記載の熱変色性筆記具。
【請求項６】
前記第１消しゴム４０は、ゴムに加圧導電性物質を混合して製造され、前記導電性物質は、重量全体に対して６０ないし７０重量％のシロキサン及び／又はシリコーン（ジメチル、メチルビニル、ビニル基末端のうち少なくとも１つを備えていてもよい）と、３０ないし４０重量％のカーボンブラック及び１ないし１０重量％のその他の添加物を含有することを特徴とする請求項４に記載の熱変色性筆記具。
【請求項７】
上部及び下部が開放された中空の円筒状ペン本体２０と、
前記ペン本体２０の内部に挿入され、熱変色性インク組成物Ｉを内部に収容するペン芯８０と、
前記ペン芯８０を弾性的に支持するためのバネ８６と、
前記ペン本体２０の下部に螺合方式で締結される下部キャップ９０とを含む熱変色性筆記具において、
一部分が外部に露出するように前記ペン本体２０内に挿入される操作部材５０であって、円筒状の第１本体部５１、前記第１本体部５１の径方向における一方側から前記第１本体部５１に対して垂直に一定長さだけ延在する連結部５２、及び前記連結部５２の自由端部に一体に形成されたクリップ部５３を含む、操作部材５０と、
前記ペン本体２０の内部に回転可能に挿入された回転部材６０であって、円筒状の第２本体部６１及び前記第２本体部６１の下部において前記第２本体部６１の外径よりも大きな外径を有するように径方向外部に拡張された拡張部６２を備える、回転部材６０と、
前記ペン本体２０の上部外側に結合される中空の上部カバー３０と、
前記熱変色性筆記具によって書かれた筆跡を摩擦し、この際に生じる摩擦熱でこの筆跡を熱変色させるための消しゴム手段と、
押圧動作により前記ペン芯８０を前記ペン本体２０の下部に露出させ前記回転部材６０を回転させる押圧部と、
前記押圧部と前記回転部材６０とを連結する連結部材７０と、
を含む熱変色性筆記具。
【請求項８】
前記消しゴム手段は、前記操作部材５０の前記クリップ部５３に脱着可能に取り付けることができるように提供される第２消しゴム２００であって、前記第２消しゴム２００は、一体形成された第２キャラクター形状部２１０に形成されており、前記第２キャラクター形状部２１０には、前記クリップ部５３を挿入できるクリップ部挿入孔２２０が上下方向に貫通して形成されることを特徴とする請求項７に記載の熱変色性筆記具。
【請求項９】
前記消しゴム手段は、前記ペン本体２０の外周面上に脱着可能に取り付けることができるように提供される第３消しゴム３００であって、前記第３消しゴム３００は、一体形成された第３キャラクター形状部３１０及び装着リング３２０を含み、前記装着リング３２０は、その径方向上部が前記第３キャラクター形状部３１０の下部面上に一体に固定支持されるように取り付けられることを特徴とする請求項７に記載の熱変色性筆記具。
【請求項１０】
前記消しゴム手段は、前記ペン本体２０の外周面上に脱着可能に取り付けることができるように提供される第４消しゴム４００であって、前記第４消しゴム４００は、一体形成された第４キャラクター形状部４１０及び装着片４２０を含み、前記装着片４２０は、その上部が前記第４キャラクター形状部４１０の両側の下部面上に一体に固定支持されるように取り付けられ、前記装着片４２０の下部には、嵌合部４２２が内側に曲がるように形成され、これに対応して、前記ペン本体２０の両側の外周面上には、嵌合溝２６Ｃが前記ペン本体２０の縦方向に沿って延長形成され、前記第４消しゴム４００は、前記嵌合部４２２を前記嵌合溝２６Ｃにそれぞれ嵌め込む方式で前記ペン本体２０上に装着されることを特徴とする請求項７に記載の熱変色性筆記具。
【発明の詳細な説明】
【技術分野】
【０００１】
本発明は熱変色性筆記具に関し、より詳細には、熱変色性筆記具によって書かれた筆跡を摩擦し、この際に生じる摩擦熱で筆跡を熱変色させるための消しゴムを熱変色性筆記具の本体から容易に分離できるように構成し、多様なキャラクター人形に形状化することによって、使用が便利であり、使用者の好奇心と興味を誘発し、使用上の楽しみを倍加させることができる熱変色性筆記具に関する。
【背景技術】
【０００２】
周知のように、ボールペンは、ボールポイントペン（ｂａｌｌｐｏｉｎｔ ｐｅｎ）の略称であり、現代の筆記道具である。ボールペンは、内側に粘性インクが詰められている孔がある。ボールペンは値段が非常に安く、信頼性があり、購買及び使用時にあまりお金がかからない日常の筆記道具であって、万年筆に取って代わってきた。
【０００３】
インクを充填して使用するボールペンは、その経済性及び利便性から広く普及してきたが、鉛筆とは異なり、筆記後の修正が不可能な問題のため、２００７年頃に日本の大手筆記具メーカーであるパイロット（Ｐｉｌｏｔ）社によって消去されるボールペンが開発されて発売された。
【０００４】
日本の筆記具メーカーであるパイロット社により開発された製品として下記の特許文献１に開示された熱変色性筆記道具は、消えるゲルインクを取り入れているが、文字を書いた後、ボールペン上部の頂部にあるプラスチック消しゴムで擦ると文字が消える。その原理は鉛筆で書いた文字がラバー消しゴムにより消去されるメカニズムとは異なる。即ち、鉛筆で書いた文字は紙面上に黒鉛が付いている状態のため、ラバー消しゴムで擦ると黒鉛が消しゴムにくっ付いて落とされる反面、消えるボールペンのゲルインクは温度によって色が変わる感温インクであって、マイナス１０℃とプラス６０℃の間でのみ見えるインクである。ゲルインクは、プラスチック消しゴムで擦る際に生じる摩擦熱によって色素分子が化学反応を起こし、色が消える原理を利用したものである。
【０００５】
前記熱変色性筆記道具は、軸筒２の外面に操作部５を設け、操作部５を操作することにより筆記体８のペン先８１０を軸筒２の前端孔３１から出没させた状態で筆記することができ、熱変色性インク８２の筆跡を摩擦熱で消せる摩擦部４を備えている。
【０００６】
ところが、このような熱変色性筆記道具では、摩擦部４を前記軸筒２の上部や下部と一体に構成されているため、筆記後に軸筒２の上部に取り付けられた摩擦部４を用いるためには、筆記道具を逆さまにして使用しなければならず、これとは異なり、軸筒２の下部に取り付けられた摩擦部４を用いるためには操作部５を操作し、ペン先８１０を軸筒２の内部に後退させた後に使用しなければならなかった。従って、筆記した内容を消そうとするとき、使用が不便であるという問題があった。また、製品設計上の制限によって多様かつ興味深いデザインの筆記具を使用しようとする消費者のニーズに十分に応えられないという問題があった。
【０００７】
従って、前記筆記具メーカーのパイロット社により開発された熱変色性筆記道具の短所を克服し、使用上の利便性を向上させた熱変色性筆記道具を開発する必要性が浮上している。
【先行技術文献】
【特許文献】
【０００８】
【特許文献１】大韓民国登録特許公報第１０−１４９５３６６号（登録日付：２０１５年０２月１３日）
【特許文献２】大韓民国登録特許公報第１０−１５５２７８２号（登録日付：２０１５年０９月０７日）
【発明の概要】
【発明が解決しようとする課題】
【０００９】
そこで、本発明は上記事情に鑑みてなされたものであって、その目的は、熱変色性筆記具によって書かれた筆跡を摩擦し、この際に生じる摩擦熱で筆跡を熱変色させるための消しゴムを熱変色性筆記具の本体から容易に分離できるように構成することによって、使用が便利な熱変色性筆記具を提供することにある。
【００１０】
また、本発明の他の目的は、熱変色性筆記具によって書かれた筆跡を摩擦し、この際に生じる摩擦熱で筆跡を熱変色させるための消しゴムを多様なキャラクター人形に形状化することによって、使用者の好奇心と興味を誘発し、使用上の楽しみを倍加させることができる熱変色性筆記具を提供することにある。
【課題を解決するための手段】
【００１１】
前述したような技術的課題を解決するために、本発明の第１の態様によれば、本発明は、上部及び下部が開放された中空の円筒状ペン本体と、前記ペン本体の内部に挿入され、熱変色性インク組成物を内部に収容するペン芯と、前記ペン芯を弾性的に支持するためのバネと、前記ペン本体の下部に螺合方式で締結される下部キャップとを含む熱変色性筆記具において、一部分が外部に露出するように前記ペン本体内に挿入される操作部材であって、円筒状の第１本体部、前記第１本体部の径方向における一方側から前記第１本体部に対して垂直に一定長さだけ延在する連結部、及び前記連結部の自由端部に一体に形成されたクリップ部を含む操作部材と、前記ペン本体の内部に回転可能に挿入される回転部材であって、円筒状の第２本体部及び前記第２本体部の下部において前記第２本体部の外径よりも大きな外径を有するように径方向外部に拡張された拡張部を含む回転部材と、前記ペン本体の上部外側に分離可能に結合される中空の上部カバーと、前記熱変色性筆記具によって書かれた筆跡を摩擦し、この際に生じる摩擦熱でこの筆跡を熱変色させるための第１消しゴムと、前記第１消しゴムと前記回転部材とを連結する連結部材とを含むことを特徴とする熱変色性筆記具を提供する。
【００１２】
前記ペン本体の側壁一側には溝が形成され、前記第１本体部は前記ペン本体の内部に挿入され、前記連結部は前記溝を通過するように配置され、前記クリップ部は前記ペン本体の外部に露出する。
【００１３】
前記ペン本体の上部には第１突出部が形成され、前記第１突出部の外周面上には第１係止段が形成され、前記上部カバーの内周面上には第２係止段が径方向内側に突出して形成され、前記第２係止段が前記第１係止段を下方向に通過するように前記熱変色性筆記具の使用者が前記上部カバーを下方向に加圧することによって、前記上部カバーが前記第１突出部上に装着される。
【００１４】
前記第１本体部の下端部には、螺子山形状の第１接触部が形成され、前記拡張部の径方向外周面上には、多数の第２突出部が一定の間隔をおいて形成され、前記第２突出部の上端部は、前記第２本体部と前記拡張部との境を通過して前記第２本体部側に延び、前記第２突出部の上端部には第２接触部が形成され、前記第２接触部は、前記第１接触部の形状に対応して鋭角で傾斜するように形成され、前記回転部材において前記拡張部を除いた前記第２本体部が前記第１本体部内に挿入されることができる。
【００１５】
前記第１消しゴムは、一体形成された第１キャラクター形状部とキャラクター支持部で構成され、前記キャラクター支持部の内部には、一定深さで閉鎖孔が形成され、前記キャラクター支持部は、前記上部カバーを通過して前記ペン本体内に挿入され、前記ペン本体内に挿入された前記操作部材の前記第１本体部の上部内側に挿入される。
【００１６】
前記第１消しゴムは、ゴムに加圧導電性物質を混合して製造され、前記導電性物質は、重量全体に対して６０ないし７０重量％のシロキサン及び／又はシリコーン（ジメチル、メチルビニル、ビニル基末端のうち少なくとも１つを備えていてもよい）と、３０ないし４０重量％のカーボンブラック（Ｃａｒｂｏｎ Ｂｌａｃｋ）及び１ないし１０重量％のその他の添加物を含有する。
【００１７】
また、本発明の第２の態様によれば、本発明は、上部及び下部が開放された中空の円筒状ペン本体と、前記ペン本体の内部に挿入され、熱変色性インク組成物を内部に収容するペン芯と、前記ペン芯を弾性的に支持するためのバネと、前記ペン本体の下部に螺合方式で締結される下部キャップとを含む熱変色性筆記具において、一部分が外部に露出するように前記ペン本体内に挿入される操作部材であって、円筒状の第１本体部、前記第１本体部の径方向における一方側から前記第１本体部に対して垂直に一定長さだけ延在する連結部、及び前記連結部の自由端部に一体に形成されたクリップ部を含む操作部材と、前記ペン本体の内部に回転可能に挿入された回転部材であって、円筒状の第２本体部及び前記第２本体部の下部において前記第２本体部の外径よりも大きな外径を有するように径方向外部に拡張された拡張部を備える回転部材と、前記ペン本体の上部外側に結合される中空の上部カバーと、前記熱変色性筆記具によって書かれた筆跡を摩擦し、この際に生じる摩擦熱でこの筆跡を熱変色させるための消しゴム手段と、押圧動作により前記ペン芯を前記ペン本体の下部に露出させ前記回転部材を回転させる押圧部と、前記押圧部と前記回転部材とを連結する連結部材とを含むことを特徴とする熱変色性筆記具を提供する。
【００１８】
前記消しゴム手段は、前記操作部材の前記クリップ部に脱着可能に取り付けることができるように提供される第２消しゴムであって、前記第２消しゴムは、一体形成された第２キャラクター形状部に形成されており、前記第２キャラクター形状部には、前記クリップ部を挿入できるクリップ部挿入孔が上下方向に貫通して形成される。
【００１９】
これとは異なり、前記消しゴム手段は、前記ペン本体の外周面上に脱着可能に取り付けることができるように提供される第３消しゴムであって、前記第３消しゴムは、一体形成された第３キャラクター形状部及び装着リングを含み、前記装着リングは、その径方向上部が前記第３キャラクター形状部の下部面上に一体に固定支持されるように取り付けられる。
【００２０】
これとは異なり、前記消しゴム手段は、前記ペン本体の外周面上に脱着可能に取り付けることができるように提供される第４消しゴムであって、前記第４消しゴムは、一体形成された第４キャラクター形状部及び装着片を含み、前記装着片は、その上部が前記第４キャラクター形状部の両側の下部面上に一体に固定支持されるように取り付けられ、前記装着片の下部には、嵌合部が内側に曲がるように形成され、これに対応して、前記ペン本体の両側の外周面上には、嵌合溝が前記ペン本体の縦方向に沿って延長形成され、前記消しゴムは、前記嵌合部を前記嵌合溝にそれぞれ嵌合する方式で前記ペン本体上に装着される。
【発明の効果】
【００２１】
以上で説明した通り、本発明によれば、熱変色性筆記具の消しゴムを熱変色性筆記具の本体から容易に分離できるようにすることによって、使用が便利な効果が得られる。また、熱変色性筆記具の消しゴムを実施形態によっては回転も可能なように構成し、多様なキャラクター人形に形状化することによって、筆記具使用者の好奇心と興味を誘発し、使用上の楽しみを倍加させることができるという効果を奏する。
【図面の簡単な説明】
【００２２】
【図１】本発明の好適な第１実施形態に係る回転及び分離可能な消しゴムを備えた熱変色性筆記具の分解斜視図である。
【図２】図１に示した熱変色性筆記具の結合状態を示す斜視図である。
【図３】図１に示した熱変色性筆記具の構成部品のうち一部の部品の結合状態を示す斜視図である。
【図４】図１に示した熱変色性筆記具の結合状態を示す断面図であって、使用前と使用後の状態を示す図である。
【図５】図４に示した熱変色性筆記具の部分拡大図である。
【図６】本発明の好適な第１実施形態において消しゴムとして使用可能な多様なキャラクターの例示図である。
【図７】本発明の好適な第２実施形態に係る分離可能な消しゴムを備えた熱変色性筆記具の変形例を示す図である。
【図８】本発明の好適な第３実施形態に係る分離可能な消しゴムを備えた熱変色性筆記具の変形例を示す図である。
【図９】本発明の好適な第４実施形態に係る分離可能な消しゴムを備えた熱変色性筆記具の変形例を示す図である。
【発明を実施するための形態】
【００２３】
以下、本発明の好適な実施形態に係る分離可能な消しゴムを備えた熱変色性筆記具について説明する。
【００２４】
まず、図１及び図２には、本発明の好適な第１実施形態に係る回転及び分離可能な第１消しゴム４０を備えた熱変色性筆記具１０Ａが示されている。本発明の好適な第１実施形態に係る第１消しゴム４０は、熱変色性筆記具１０Ａの上部に回転及び分離可能に装着される。
【００２５】
熱変色性筆記具１０Ａは、上部及び下部が開放された中空の円筒状ペン本体２０、前記ペン本体２０の上部外側に結合される中空の上部カバー３０、前記上部カバー３０を通過して前記ペン本体３０の上部内側に回転及び分離可能に装着される第１消しゴム４０、一部分が外部に露出するように前記ペン本体２０内に挿入される操作部材５０、前記ペン本体２０の内部に回転可能に挿入された回転部材６０、前記第１消しゴム４０と前記回転部材６０を連結する連結部材７０、前記ペン本体２０の内部に挿入され、熱変色性インク組成物Ｉを内部に収容するペン芯８０、前記ペン芯８０を弾性的に支持するためのバネ８６、及び前記ペン本体２０の下部に螺合方式で締結される下部キャップ９０を含む。
【００２６】
まず、円筒状ペン本体２０の側壁一側には、操作部材５０の作動を可能にするための溝２１（図４及び図５参照）がペン本体２０の長手方向に沿って一定長さだけ切り欠いて形成される。ペン本体２０の上部には、第１突出部２２が形成され、前記第１突出部２２の外周面上には、第１係止段２３が形成される。前記第１突出部２２の径方向外側には、前記上部カバー３０が嵌め込まれて結合されるが、このために上部カバー３０の内周面上には、第２係止段３３（図５参照）が径方向内側に突出して形成される。ペン本体２０の下部の内周面上には、雌螺子部２４が形成される。前記雌螺子部２４には、下部キャップ９０が螺合方式で締結される。
【００２７】
次に、第１消しゴム４０は、熱変色性筆記具１０Ａによって書かれた筆跡を摩擦し、この際に生じる摩擦熱でこの筆跡を熱変色させる機能を発揮する。第１消しゴム４０は、一体形成された第１キャラクター形状部４１とキャラクター支持部４２で構成される。第１キャラクター形状部４１とキャラクター支持部４２の内側には、キャラクター支持部４２から始まる閉鎖孔（符号省略）が一定深さだけ形成される。
【００２８】
図６には、本発明の好適な第１実施形態に係る第１消しゴム４０が示されている。図６に示すように、第１消しゴム４０はゴムや合成樹脂材で製造されることができ、特に第１キャラクター形状部４１は、使用者の好奇心と美感を刺激できるように多様な形態のキャラクターに形状化されることができる。
【００２９】
図１及び図６を参照すれば、キャラクター支持部４２は、上部カバー３０を通過してペン本体２０内に挿入されるが、このとき、ペン本体２０内に挿入されている操作部材５０の第１本体部５１の上部内側に挿入される。第１消しゴム４０は、後述する熱変色性インク組成物Ｉ（図４及び図５参照）を構成する原料のうち示温顔料の特性を利用して熱変色性筆記具１０Ａで筆記した後、摩擦熱を発生させてインクを消す役割を果たす。即ち、熱変色性インク組成物Ｉを構成する可逆性示温顔料は基準温度以上になると透明になり、再び温度が下がると元の色に戻るため、このような示温顔料の特性に基づいて第１消しゴム４０を用いてインクを消す。可逆性示温顔料の基準温度は−１５℃〜７０℃であるが、第１消しゴム４０を消しゴムとして活用したとき、第１消しゴム４０の摩擦熱によって発生する変色温度は通常、２５℃〜６５℃に設定して使用する。
【００３０】
本発明によれば、好ましくは、第１消しゴム４０は、第１消しゴム４０を製造するための原料として用いられるゴムに加圧導電性物質を混合して製造される。通常、ゴムは電気を通さない不導体として知られているが、カーボンブラック（Ｃａｒｂｏｎ Ｂｌａｃｋ）などの添加により一定圧力を加えると圧電効果によって電気的信号を発生させて導電性を呈するようにすることができる。即ち、導電性ゴムが接触回路に接触するとスイッチがオン（ＯＮ）になり得るが、このような特性を反映して製作された本発明の第１消しゴム４０を例えば、携帯電話の画面上に接触すると、携帯電話の回路に電流が流れるようにして電気信号を伝達することができるので、携帯電話のアプリケーションを起動させることができる。
【００３１】
前記第１消しゴム４０を製造するための原料の成分として含有される前記導電性物質は、前記導電性物質の重量全体に対して６０ないし７０重量％のシロキサン及び／又はシリコーン（ジメチル、メチルビニル、ビニル基末端のうち少なくとも１つを備えていてもよい）と、３０ないし４０重量％のカーボンブラック（Ｃａｒｂｏｎ Ｂｌａｃｋ）及び１ないし１０重量％のその他の添加物を含有することを特徴とする。
【００３２】
一方、前記操作部材５０は円筒状の第１本体部５１、前記第１本体部５１の径方向における一方側から前記第１本体部５１に対して垂直に一定長さだけ延在する連結部５２、及び前記連結部５２の自由端部に一体に連結されるように形成されて前記第１本体部５１の長手方向に沿って一定長さだけ延在するクリップ部５３で構成される。前記操作部材５０をペン本体２０に設ける場合、前記第１本体部５１はペン本体２０の内部に挿入され、前記連結部５２はペン本体２０の溝２１を通過するように配置され、前記クリップ部５３はペン本体２０の外部に露出する。
【００３３】
前記第１本体部５１がペン本体２０の内部に挿入された状態で前記第１本体部５１の下部には回転部材６０が挿入して配置され、前記第１本体部５１内には前記連結部材７０が挿入される。
【００３４】
図３は、図１に示した熱変色性筆記具１０Ａの構成部品のうち一部の部品の結合状態を示す図である。
【００３５】
図３に示すように、前記第１本体部５１の下端部には、螺子山形状の第１接触部５４が形成される。第１接触部５４は、後述する回転部材６０の第２接触部６４と接触するようになる。
【００３６】
図１及び図３を参照すれば、回転部材６０は、円筒状の第２本体部６１及び前記第２本体部６１の下部において第２本体部６１の外径よりも大きな外径を有するように径方向外部に拡張された拡張部６２を有する。前記拡張部６２の径方向外周面上には、複数の第２突出部６３が形成される。第２突出部６３は、拡張部６２の径方向外周面で一定の間隔をおいて形成され、第２突出部６３の上端部は、第２本体部６１と拡張部６２との境を通過して第２本体部６１側に延びる。第２突出部６３の上端部には、前述した第２接触部６４が形成されるが、前記第２接触部６４は、第１接触部５４の形状に対応して鋭角で傾斜するように形成される。前記回転部材６０の第２本体部６１は、操作部材５０の第１本体部５１の内径よりも小さな外径を有するので、前記回転部材６０において拡張部６２を除いた第２本体部６１が操作部材５０の第１本体部５１内に挿入されることができる。
【００３７】
前記回転部材６０の第２本体部６１が操作部材５０の第１本体部５１内に挿入して配置された状態で、前記第２本体部６１内には、前記連結部材７０が挿入して配置される。連結部材７０は、全体としてピン形状をなす第３本体部７１及び前記第３本体部７１の中間位置で径方向外部に突出した係止部７２を備える。第３本体部７１のうち係止部７２を境にしてその上側部位は、第１消しゴム４０のキャラクター支持部４２内に挿入されることができる。
【００３８】
一方、従来技術と同様に、ペン本体２０の内部にはペン芯８０が配置されるが、ペン芯８０の上部は回転部材６０の下部に嵌め込まれ、ペン芯８０の下部はペン本体２０下部の外部に露出する。ペン芯８０の下端には、ボールペンチップ８２が取り付けられており、ペン芯８０の下部の外周面上にはバネストッパ８４が径方向外部に突出するように形成されている。ペン芯８０の内部には、変色性インク組成物Ｉ（図４及び図５参照）が充填されている。熱変色性筆記具１０Ａは、前記ペン本体２０内でペン芯８０の外周面上に配置され、ペン芯８０を弾性的に支持するバネ８６、及び前記ペン本体２０の下部に螺合方式で締結される下部キャップ９０を更に含む。
【００３９】
本発明の好適な実施形態で用いられる変色性インク組成物Ｉは、それの重量全体に対して５０〜８０重量％の熱消去性示温顔料組成物と、５〜１５重量％の保湿剤と、０．１〜３．０重量％の乳化剤と、０．１〜１重量％の増粘剤と、０．２〜０．８重量％の防腐剤と、１〜５重量％の浸透剤と、０．１〜１重量％の防錆剤と、０．１〜１重量％の可溶化剤と、その残りの水と水溶性極性溶媒を含有することを特徴とする。
【００４０】
前記熱消去性示温顔料組成物は、粒度が１μｍ〜５μｍの範囲であり、固形分含有量が３０％である顔料分散物からなることを特徴とする。好ましくは、前記熱消去性示温顔料組成物の最適な粒度は２μｍである。もし、粒度が１０μｍ以上になると、ボールペンチップ８２からの流出が悪く、時間が経過すれば、塞がる現象が発生する。
【００４１】
図４及び図５は、熱変色性筆記具１０Ａの結合状態を示す断面図であって、筆記具１０Ａの使用者が操作部材５０を押圧する前と後の状態が示されている。
【００４２】
図４及び図５の左側に示すように、筆記具１０Ａの使用者が操作部材５０を押圧する前の状態を簡潔に説明すれば、前述したように、操作部材５０は連結部５２がペン本体２０の溝２１を通過するようにし、第１本体部５１はペン本体２０内に挿入する方式で配置される。
【００４３】
回転部材６０は、拡張部６２を除いた第２本体部６１を下から上へ前記第１本体部５１内に挿入する方式で配置され、連結部材７０は、第３本体部７１を上から下へ前記第２本体部６１内に挿入する方式で配置される。
【００４４】
このような状態で上部カバー３０は、ペン本体２０の上部に提供された第１突出部２２の外周面上に加圧方式で嵌合装着される。即ち、上部カバー３０の内周面上に形成された第２係止段３３が前記第１突出部２２の外周面上に形成された第１係止段２３を下方向に通過するように上部カバー３０を下方向に加圧して装着する。一旦、上部カバー３０が第１突出部２２の外周面上に装着されると、使用者が上方向に外力を作用しない限り、上部カバー３０はその位置に維持される。
【００４５】
次に、第１消しゴム４０のキャラクター支持部４２が上部カバー３０の内部空間を通過するように第１消しゴム４０を上部カバー３０内に位置させながら、連結部材７０の第３本体部７１がキャラクター支持部４２の内側に挿入するように下方向に加圧して締結する。
【００４６】
図４及び図５の右側に示すように、筆記具１０Ａの使用者が操作部材５０を押圧すると、操作部材５０は、連結部５２が溝２１の上部位置から下部位置まで下がり、これにより操作部材５０の第１本体部５１がペン本体２０の内部空間で下方向へ下がるようになる。
【００４７】
図３から見られるように、操作部材５０の第１本体部５１が下方向に力を受けるようになると、第１本体部５１の下端部に提供された第１接触部５４が回転部材６０の第２接触部６４と接触しながら第２接触部６４の傾斜面を押すようになる。すると、前記第１接触部５４と前記第２接触部６４間の共同作動により操作部材５０の第１本体部５１が回転する。その結果、回転部材６０内に挿入されている連結部材７０の第３本体部７１に嵌合装着された第１消しゴム４０が同様に回転する。
【００４８】
結果として、第１消しゴム４０は操作部材５０を押圧すると、下へ下降しながら回転するようになり、その反対に操作部材５０を元の位置に戻すと、上へ上昇しながら回転するようになる。従って、本発明に係る熱変色性筆記具１０Ａの使用者は、筆記具１０Ａを使用することにより興味を感じながら、筆記作業を行うことができる。
【００４９】
前記図６を参照して説明したように、第１消しゴム４０の第１キャラクター形状部４１は、多様な形態のキャラクターに形状化されているため、熱変色性筆記具１０Ａの使用者は、一次的にはキャラクター人形に対する美感と好感を持つことができ、キャラクター人形が上昇／下降及び回転する状態を目で見られるため、好奇心と楽しみを感じることができる。
【００５０】
一方、図７には、本発明の好適な第２実施形態に係る熱変色性筆記具１０Ｂが示されている。図７に示す第２実施形態によれば、前述した第１実施形態において熱変色性筆記具１０Ａで筆記した後、摩擦熱を発生させてインクを消す役割を果たす第１消しゴム４０の該当位置には、インクを消す役割を果たさず、単にペン芯８０をペン本体２０の下部に露出させると同時に押圧及び回転動作を行える押圧部４４Ａを配置した。該当技術分野における熟練した当業者は、押圧部４４Ａを消しゴム機能が除去された単純な形状にするか、又はキャラクター形状部にすることができることを該当技術分野における当業者は容易に理解できるはずである。
【００５１】
追加的に、インクを消す役割を果たせる別途の第２消しゴム２００が操作部材５０のクリップ部５３に脱着可能に取り付けることができるように提供される。第２消しゴム２００は、一体形成された第２キャラクター形状部２１０に形成されており、前記第２キャラクター形状部２１０には、操作部材５０のクリップ部５３を挿入できるクリップ部挿入孔２２０が上下方向に貫通して形成される。熱変色性筆記具１０Ｂを使用しない場合、使用者は第２キャラクター形状部２１０に形成されたクリップ部挿入孔２２０に操作部材５０のクリップ部５３を挿入する方式で第２消しゴム２００をクリップ部５３上に保管し、熱変色性筆記具１０Ｂを使用する場合、使用者は操作部材５０のクリップ部５３から第２キャラクター形状部２１０を取り出して用いることができる。
【００５２】
一方、図８には、本発明の好適な第３実施形態に係る熱変色性筆記具１０Ｃが示されている。図８に示す第３実施形態によれば、前述した第１実施形態において熱変色性筆記具１０Ａで筆記した後、摩擦熱を発生させてインクを消す役割を果たす第１消しゴム４０の該当位置には、インクを消す役割を果たさず、単にペン芯８０をペン本体２０の下部に露出させると同時に押圧及び回転動作を行える押圧部４４Ｂを配置した。該当技術分野における熟練した当業者は、押圧部４４Ｂを消しゴム機能が除去された単純な形状にするか、又はキャラクター形状部にすることができることを該当技術分野における当業者は容易に理解できるはずである。
【００５３】
追加的に、インクを消す役割を果たせる別途の第３消しゴム３００がペン本体２０の外周面上に脱着可能に取り付けることができるように提供される。第３消しゴム３００は、一体形成された第３キャラクター形状部３１０及び装着リング３２０を含む。装着リング３２０は、その径方向上部が第３キャラクター形状部３１０の下部面上に一体に固定支持されるように取り付けられる。熱変色性筆記具１０Ｂを使用しない場合、使用者は第３キャラクター形状部３１０の下部面に取り付けられた装着リング３２０にペン本体２０を嵌め込む方式で第３消しゴム３００をペン本体２０上に保管し、熱変色性筆記具１０Ｂを使用する場合、使用者はペン本体２０から第３キャラクター形状部３１０を取り出して用いることができる。
【００５４】
一方、図９には、本発明の好適な第４実施形態に係る熱変色性筆記具１０Ｄが示されている。図９に示す第４実施形態によれば、前述した第１実施形態において熱変色性筆記具１０Ａで筆記した後、摩擦熱を発生させてインクを消す役割を果たす第１消しゴム４０の該当位置には、インクを消す役割を果たさず、単にペン芯８０をペン本体２０の下部に露出させると同時に押圧及び回転動作を行える押圧部４４Ｃを配置した。該当技術分野における熟練した当業者は、押圧部４４Ｃを消しゴム機能が除去された単純な形状にするか、又はキャラクター形状部にすることができることを容易に理解できるはずである。
【００５５】
追加的に、インクを消す役割を果たせる別途の第４消しゴム４００がペン本体２０の外周面上に脱着可能に取り付けることができるように提供される。第４消しゴム４００は、一体形成された第４キャラクター形状部４１０及び装着片４２０を含む。装着片４２０は、その上部が第４キャラクター形状部４１０の両側の下部面上に一体に固定支持されるように取り付けられる。装着片４２０は略円弧形状を有し、装着片４２０の下部には、嵌合部４２２が内側に曲がるように形成される。これに対応して、ペン本体２０の両側の外周面上には嵌合溝２６Ｃがペン本体２０の縦方向に沿って延長形成される。熱変色性筆記具１０Ｃを使用しない場合、使用者は第４キャラクター形状部４１０の下部面両側に取り付けられた装着片４２０の嵌合部４２２をペン本体２０の嵌合溝２６Ｃにそれぞれ嵌め込む方式で第４消しゴム４００をペン本体２０上に保管し、熱変色性筆記具１０Ｃを使用する場合には、使用者はペン本体２０の嵌合溝２６Ｃから装着片４２０の嵌合部４２２を取り出して第４消しゴム４００を用いることができる。
【００５６】
前述した第２、第３及び第４実施形態においては、消しゴムの構成と装着位置、それと関連するペン本体の形態のみ異なるだけで、残りの構成は同一であるので、同一発明の要素に対しては同一の参照符号を付していることを当業者は容易に理解できるはずである。
【００５７】
以上、本発明の好適な実施形態を参照して説明したが、該当技術分野における熟練した当業者は、下記の特許請求の範囲に記載された本発明の思想及び範囲から逸脱しない範囲内で本発明を多様に修正及び変更させることができることが理解できるはずである。
【符号の説明】
【００５８】
１０Ａ、１０Ｂ、１０Ｃ、１０Ｄ    熱変色性筆記具
２０    ペン本体
２１    溝
２２、６３    突出部
２３、３３    係止段
２６Ｃ    嵌合溝
３０    上部カバー
４０、２００、３００、４００    消しゴム
４１、２１０、３１０、４１０    キャラクター形状部
４２    キャラクター支持部
４４Ａ、４４Ｂ、４４Ｃ    押圧部
５０    操作部材
５１、６１、７１    本体部
５２    連結部
５３    クリップ部
５４、６４    接触部
６２    拡張部
７０    連結部材
７２    係止部
８０    ペン芯
８２    ボールペンチップ
８６    バネ
９０    下部キャップ
２２０    クリップ部挿入孔
３２０    装着リング
４２０    装着片
４２２    嵌合部
Ｉ    熱変色性インク組成物
【図１】
2020142500.tif 000003
【図２】
2020142500.tif 000004
【図３】
2020142500.tif 000005
【図４】
2020142500.tif 000006
【図５】
2020142500.tif 000007
【図６】
2020142500.tif 000008
【図７】
2020142500.tif 000009
【図８】
2020142500.tif 000010
【図９】
2020142500.tif 000011